(57)【要約】  より簡易に精度よく咬合の調整をすることができる試適義歯を提供するため、義歯床部１２及び歯列部１３を有し、互いに分離可能に調整部１５と基部１４とを備えており、調整部は、歯列部の咬合面１３ｂの全てを含み、咬合平面１０ａに平行な面１５ａを具備しており、基部に対して咬合平面に平行に移動可能、咬合平面に平行な面内で回転可能、又は移動及び回転の両方が可能とされている。
2018179554.tif 000002
【特許請求の範囲】
【請求項１】
義歯の作製のために咬合状態を調整する試適義歯であって、
義歯床部及び歯列部を有し、
分離可能に調整部と基部とを備えており、
前記調整部は、前記歯列部の咬合面の全てを含み、咬合平面に平行な面を具備しており、前記基部に対して前記咬合平面に平行に移動可能、前記咬合平面に平行な面内で回転可能、又は前記移動及び前記回転の両方が可能とされている、試適義歯。
【請求項２】
前記調整部には前記基部に対して係合し、前記移動又は前記回転の少なくとも一方を所定の範囲に制限する部位が備えられる、請求項１に記載の試適義歯。
【請求項３】
義歯の作製のために咬合状態を調整する試適義歯を作製するプログラムであって、
義歯床部及び歯列部のデータから、調整部と基部とを分離するステップを含み、
前記調整部は、前記歯列部の咬合面の全てを含み、咬合平面に平行な面を具備しており、前記基部に対して前記咬合平面に平行に移動可能、前記咬合平面に平行な面内で回転可能、又は前記移動及び前記回転の両方が可能とされている、試適義歯作製プログラム。
【請求項４】
義歯を製造する方法であって、
咬合状態を調整するための試適義歯を作製する工程を含み、
前記試適義歯は、
義歯床部及び歯列部を有し、
分離可能に調整部と基部とを備えており、
前記調整部は、前記歯列部の咬合面の全てを含み、咬合平面に平行な面を具備しており、前記基部に対して前記咬合平面に平行に移動可能、前記咬合平面に平行な面内で回転可能、又は前記移動及び前記回転の両方が可能とされている、義歯の製造方法。
【発明の詳細な説明】
【技術分野】
【０００１】
本発明は、試適義歯、試適義歯の作製プログラム、及び義歯作製方法に関する。
【背景技術】
【０００２】
義歯を作製する方法としてよく知られたものの１つにロストワックス法があり、例えば次のような工程を経る。
初めに印象材を用いて患者の口腔内の形状の型をとる（いわゆる印象採得）。これに石膏を流して固め、石膏模型を作製する。
次に、得られた石膏模型の上にワックスを用いて上下顎義歯の高さを確保し、ワックスに人工歯を埋め込み、蝋義歯とする（いわゆる人工歯排列）。その後この蝋義歯を石膏などに埋めて固めるとともにワックスが流出する部位を形成したうえで湯等を用いてワックスを溶融して流し去る。これにより排列された人工歯のみが残り、ワックスが存在していた部分に空洞が形成されるのでここにレジン等を流入（填入）させて硬化する。そして石膏を割って取り去ることにより義歯を得ることができる。
このようにロストワックス法は工程が多く、完成までに時間がかかるとともに、その作製について歯科技工士の熟練が必要とされている。【０００３】
これに対して特許文献１には、ＣＡＤ／ＣＡＭを用いて義歯を作製する技術が開示されている。すなわち、ＣＡＤ／ＣＡＭを用いて義歯の設計から製造工程の決定までをデータとして取り扱い、最終的には当該データに基づいてＮＣ工作機械を用いて削り出すことにより義歯を得る。
これによれば、ロストワックス法に比べて工程が少なく、義歯をこれまでより短期間で製作することが可能である。【０００４】
このように義歯作製にはいくつかの方法があるが、いずれも最初に、口腔内の印象の採得、及び咬合の採得（義歯の位置、安定を確保するための口腔粘膜の形態の印象採得、及び上下の咬合関係を記録する咬合採得）を行う。特に総義歯の場合、印象採得は無歯顎の顎堤に対して行われるため、得られた印象（特に顎間関係）の精度が低い。かかる観点から、義歯を作製する途中で該義歯の咬合の適正を確認するために試適が行われる。そしてこの試適の結果に基づいて顎間関係や人工歯の位置の調整を行い、最終的な義歯とする。特許文献１にも試適に関する事項が記載されている。
【先行技術文献】
【特許文献】
【０００５】
【特許文献１】特許第５９３２８０３号公報
【発明の概要】
【発明が解決しようとする課題】
【０００６】
ところが、ＣＡＤ／ＣＡＭを用いた義歯作製において、試適義歯は一般的には３次元造形装置や工作機械から歯冠（人工歯）部と義歯床部とが一体となったもので製作される。そのため、顎堤と人工歯の位置関係が適切でない場合や顔貌に対して前歯部歯列位置を調整する場合にも多大な労力を要し、修正が難しかった。その結果、最終（完成）義歯の精度を十分に上げることができずに初めからやり直すようなこともあった。【０００７】
そこで本発明は、より簡易に精度よく咬合（顎間関係、人工歯位置）の調整をすることができる試適義歯を提供することを課題とする。またこの試適義歯を作製するプログラム、及び義歯の作製方法を提供する。
【課題を解決するための手段】
【０００８】
以下、本発明について説明する。ここでは分かり易さのため、図面に付した参照符号を括弧書きで併せて記載するが、本発明はこれに限定されるものではない。【０００９】
本発明の第１の態様は、義歯（３０）の作製のために咬合状態を調整する試適義歯（１０）であって、義歯床部（１２）及び歯列部（１３）を有し、分離可能に調整部（１５）と基部（１４）とを備えており、調整部は、歯列部の咬合面（１３ｂ）の全てを含み、咬合平面（１０ａ）に平行な面（１５ａ）を具備しており、基部に対して咬合平面に平行に移動可能、咬合平面に平行な面内で回転可能、又は移動及び回転の両方が可能とされている、試適義歯である。【００１０】
上記試適義歯では、調整部（１５）には基部（１４）に対して係合し、調整部の移動又は回転の少なくとも一方を所定の範囲に制限する部位（１５ｂ’）を備えてもよい。【００１１】
本発明の第２の態様は、義歯（３０）の作製のために咬合状態を調整する試適義歯（１０）を作製するプログラムであって、義歯床部（１２）及び歯列部（１３）のデータから、調整部（１５）と基部（１４）とを分離するステップを含み、調整部は、歯列部の咬合面（１３ｂ）の全てを含み、咬合平面（１０ａ）に平行な面（１５ａ）を具備しており、基部に対して咬合平面に平行に移動可能、咬合平面に平行な面内で回転可能、又は移動及び回転の両方が可能とされている、試適義歯作製プログラムである。【００１２】
本発明の第３の態様は、義歯（３０）を製造する方法であって、咬合状態を調整するための試適義歯（１０）を作製する工程を含み、試適義歯は、義歯床部（１２）及び歯列部（１３）を有し、分離可能に調整部（１５）と基部（１４）とを備えており、調整部は、歯列部の咬合面（１３ｂ）の全てを含み、咬合平面（１０ａ）に平行な面（１５ａ）を具備しており、基部に対して咬合平面に平行に移動可能、咬合平面に平行な面内で回転可能、又は移動及び回転の両方が可能とされている、義歯の製造方法である。
【発明の効果】
【００１３】
本発明によれば、調整部を移動、回転、又はその両方をすることで、歯列全体として咬合（顎間関係、人工歯位置）の調整をすることができるため、より簡易に精度よく試適義歯から最終義歯への修正をすることが可能となる。
【図面の簡単な説明】
【００１４】
【図１】試適義歯１０を側面から見た図である。
【図２】試適義歯１０を正面から見た図である。
【図３】図３（ａ）は上顎側試適義歯１１を側面から見た図、図３（ｂ）は上顎側試適義歯１１を側面から見た分解図である。
【図４】上顎側試適義歯１１を歯列部１３側から平面視した図である。
【図５】図５（ａ）は下顎側試適義歯２１を側面から見た図、図５（ｂ）は下顎側試適義歯２１の分解図である。
【図６】図６（ａ）は上顎側試適義歯１１’を側面から見た図、図６（ｂ）は上顎側試適義歯１１’を側面から見た分解図である。
【図７】図７（ａ）は義歯３０を側面から見た図、図７（ｂ）は義歯３０を正面から見た図である。
【図８】上顎側義歯３０を人工歯列３３側から平面視した図である。
【図９】義歯床３２を凹部３２ｂ側から平面視した図である。
【図１０】人工歯３３ａの外観を表す図である。
【図１１】設計装置５０を概念的に示すブロック図である。
【図１２】義歯の製造方法Ｓ１の流れを表す図である。
【図１３】義歯の設計の工程Ｓ２０の流れを表す図である。
【図１４】義歯の作製の工程Ｓ６０の流れを表す図である。
【発明を実施するための形態】
【００１５】
以下、本発明を図面に示す形態に基づき説明する。ただし本発明はこれら形態に限定されるものではない。
【００１６】
図１〜図５は１つの形態を説明する図であり、試適義歯１０を示した図である。図１は試適義歯１０を側面から見た図、図２は試適義歯１０を正面から見た図である。図３（ａ）は上顎側試適義歯１１を側面から見た図、図３（ｂ）は上顎側試適義歯１１を側面から見た分解図、図４は上顎側試適義歯１１を歯列部１３側から平面視した図である。図５（ａ）は下顎側試適義歯２１を側面から見た図、図５（ｂ）は下顎側試適義歯２１を側面から見た分解図である。
【００１７】
試適義歯１０は、試適のために作製され、咬合状態の調整に用いられる義歯であり、試適義歯１０による咬合調整結果に基づいて義歯が作製される。
本形態で試適義歯１０は、上顎側試適義歯１１、及び下顎側試適義歯２１を有して構成されている。
【００１８】
上顎側試適義歯１１は、上顎用の試適義歯であり、義歯床部１２、及び歯列部１３を有して構成されている。そして上顎側試適義歯１１は、基部１３と調整部１４とに分離できるようにされている。
【００１９】
義歯床部１２は、義歯３０の義歯床３２（図７、図８参照）となる部位に相当する形状を有する部位である。従って義歯床部１２にはその一方の面に歯列部１３が形成されるとともに、その他方の面には破線で示したように口腔内の顎堤頂の形状に対応する凹部１２ａが形成されている。
【００２０】
歯列部１３は、義歯３０の人工歯列３３（図７、図８参照）となる部位に相当する形状を有する部位である。従って歯列部１３は、個々の人工歯３３ａに相当する複数の人工歯部１３ａが歯列弓状に配列されてなる。そして歯列部１３の人工歯部１３ａは咬合面１３ｂを備えている。
【００２１】
義歯床部１２と歯列部１３とは一体で同じ材料で作製されていればよい。試適義歯１１は義歯の外形だけが問題であり、その材質は特に問題とならない。具体的な材料は特に限定されることはないが、レジン（硬化のための光源を可視光や紫外光とする光硬化性樹脂を含む。）、熱可塑性樹脂、石こう、セラミックス、金属の他，暫間使用にのみ用いられるワックス含有レジン、ワックス、紙などのセルロース系素材、又はこれら２種類以上の組み合わせによる材料を使用することができる。
そして上顎側試適義歯１１は、３次元造形装置や最終的な義歯床を加工する切削装置（工作機械）により作製することができる。
【００２２】
このような上顎側試適義歯１１は、基部１４と調整部１５とに分離可能に構成されている。
基部１４は、上顎側試適義歯１１のうち義歯床部１２の大部分又は全部を含み、上顎側試適義歯１１から調整部１５及び後述する調整用間隔１１ａとなる部位を切り欠いた切欠き部１４ａを有している。基部１４には咬合面１３ｂが含まれないように構成されている。
また、切欠き部１４ａのうち、調整部１５の後述する摺動面１５ａに含まれる、咬合平面１０ａに平行である部位が接触する面１４ｂ（図３（ｂ）参照）は、咬合平面１０ａに平行とされている。
【００２３】
調整部１５は、上顎側試適義歯１１のうち少なくとも咬合面１３ｂを全て含み、基部１４の切欠き１４ａの面１４ｂに接触し、少なくとも一部に咬合平面１０ａに平行な面を有する摺動面１５ａを具備して構成されている。従って、調整部１５には歯列部１３の一部又は全部が含まれ、義歯床部１２の一部が含まれてもよい。
また、調整部１５には、摺動面１５ａとは異なる面で、基部１４の切欠き１４ａを構成する面に対向するように配置される他の面１５ｂが設けられた場合、基部１４に接触しないように調整用間隙１１ａが形成される。これにより調整部１５を基部１４に対して摺動、回転、又は両方をすることで調整することができる。
【００２４】
一方、下顎側試適義歯２１は下顎用の試適義歯であり、該下顎側試適義歯２１も上顎側試適義歯１１と同様に考えることができる。従って、下顎側試適義歯２１にも上顎側試適義歯１１と同じ符号を付して説明を省略する。
【００２５】
以上のような構成の試適義歯１０は、例えば次のように組み合わされるとともに、咬合を調整することができる。
上顎側試適義歯１１では、基部１４の切欠き部１４ａに調整部１５が配置される。このとき、調整部１５の摺動面１５ａが切欠き部１４ａの面１４ｂに接触する。また他の面１５ｂは切欠き部１４ａの面には接触しないように配置され、これにより調整用間隙１１ａが形成される。
同様に下顎側試適義歯２１でも、基部１４の切欠き部１４ａに調整部１５が配置される。このとき、調整部１５の摺動面１５ａが切欠き部１４ａの面１４ｂに接触する。また他の面１５ｂは切欠き部１４ａの面には接触しないように配置され、これにより調整用間隙１１ａが形成される。
【００２６】
そして、上顎側試適義歯１１と下顎側試適義歯２１とが、その咬合面１３ａ同士が向かい合うように配置されて試適義歯１０とされる。
【００２７】
このような試適義歯１０では、図１にＡ、図２にＢで示したように咬合平面１０ａに平行な方向に調整部１５を移動させることができるとともに、図４にＣで示したように摺動面１５ａのうち咬合平面１０ａに平行である面の面内で調整部１５を回転させることができる。
このように調整部１５を移動、回転、又は両者をすることで、上顎側試適義歯１１と下顎側試適義歯２１との咬合を調整することができる。従って、試適義歯１０によれば、歯列全体を移動、回転するので個々の人工歯部１３ａの上下顎対合関係は変更されないため個々の人工歯部１３ａの調整が不要である。これにより、不適とされる顎の調整部１５と基部１４の関係性を修正するのみとなり、非常に容易な方法で咬合を調整することができる。
また、人工歯に形成された咬合面はもともと適切な形状となるように設計されているものが多いので、咬合採得時のずれや顎堤に対して本来あるべき位置に歯列がないことによる義歯適用時の不必要な削合は、咀嚼等の口腔機能面においても望ましいことではない。本形態の試適義歯を使用することにより、人工歯に形成された咬合面による咀嚼機能を損なう可能性が限りなく低くなるため、義歯における咬合面の良好な形状が維持された状態で患者の顎運動に合わせた咬合調整が行われる。
【００２８】
本形態では、上顎側試適義歯１１、及び下顎側試適義歯２１の両方が基部１４と調整部１５とに分割されているが、必ずしも両方が分割された形態であることはなく、上顎側試適義歯１１及び、下顎側試適義歯２１の少なくとも一方が、基部１４と調整部１５とに分割されていればよい。
また、調整部１５については、必ずしも全ての人工歯が一つの調整部として存在する必要はなく、例えば臼歯部（右側、左側）と前歯部（２つの犬歯間）の３分割になっていても良い。すなわち任意に複数の調整部へ分割することができる。
【００２９】
また、調整部１５の摺動面１５ａは、その少なくとも一部が咬合平面１０ａに平行であればよく、他の部位では凹凸等が形成されてもよい。これにより調整部１５の移動及び回転を規制し、移動しすぎ、回転させすぎを防止して咬合調整のしやすさを向上させることができる。例えば、図６には変形例の上顎側試適義歯１１’を示した。この上顎側試適義歯１１’にはその摺動面１５ａ’に突起１５ｂ’を備えており、基部１４の切欠き１４ａ’のうち突起１５ｂ’に対応する位置に凹部１４ｃ’が配置されている。そしてこの突起１５ｂ’が凹部１４ｃ’に挿入されるようにして配置される。このとき凹部１４ｃ’の大きさは突起１５ｂ’よりも大きくなるように構成されている。
このような形態の上顎側試適義歯１１’によれば、調整部１５’を移動及び回転させて咬合状態を調整するに際し、この移動及び回転が、突起１５ｂ’が凹部１４ｃ’内を移動及び回転できる範囲に制限されるため、想定範囲を超える移動及び回転を防止することができ、作業の容易を図ることができる。
【００３０】
次に、上記試適義歯１０を用いて義歯３０を作製する方法について説明する。なお、この中で、試適義歯１０を作製するためのプログラムについても併せて説明する。
【００３１】
図７（ａ）には義歯３０の側面図、図７（ｂ）には義歯３０の正面図、図８には義歯３０のうち上顎側義歯３１を歯列３３側から平面視した図を表した。このような義歯３０が患者の口腔内の下顎側、上顎側に配置され、欠損してしまった天然歯を人工的に補っている。図７、図８からわかるように、義歯３０は上顎側義歯３１、及び下顎側義歯４１を備えている。下顎側義歯４１は上顎側義歯３１と同じように考えることができるので、構成する部材については同じ符号を付して説明は省略する。
【００３２】
図７、図８からわかるように、義歯３０は、上顎側義歯３１、及び下顎側義歯４１のそれぞれに、義歯床３２及び複数の人工歯３３ａが配列された人工歯列３３を有して構成されている。図９には義歯床３２、図１０には１つの例にかかる人工歯３３ａの外観を示した。
【００３３】
義歯床３２は、人工歯３３ａを所定の位置に保持するとともに、口腔粘膜上に義歯３０を安定して装着させる機能を有する部材である。本形態では図９からわかるように、人工歯３３ａが排列される部位として堤状の盛り上がった堤部３２ａを備えるとともに、この堤部３２ａの頂部に人工歯３３ａの一端が挿入され、人工歯３３ａが固定される凹部３２ｂが設けられている。
義歯床３２は後述するように切削加工によって作製されるので、硬質のレジン、金属、セラミック焼結体等の硬質の材料を用いることが好ましい。
【００３４】
人工歯３３ａは、欠損した天然歯の代わりに、当該天然歯の機能を有するように作製された人工の歯牙である。人工歯３３ａは義歯床３２の上記凹部３２ｂにその一端が挿入されて接着剤により固定されることで保持される。これにより、複数の人工歯３３ａが歯列のように弓状に排列されて人工歯列３３となり、天然歯のように機能することができる。
【００３５】
ここで、人工歯３３ａには人工歯に用いられる公知の材料を適用することができる。これには例えばセラミック、レジン、硬質レジン、及び金属を挙げることができる。
また、義歯床３２に人工歯３３ａを接着する材料としては、公知の材料を用いることができるが、これには例えば即時重合レジン、歯肉色レジン、義歯床用レジン、エポキシ接着剤等の公知の工業用接着剤、又はこれらの少なくとも２つの組み合わせ等が挙げられる。
【００３６】
ここで、人工歯３３ａを義歯床３２に配置したときに回転してしまうことを防止するための手段が設けられてもよい。これには例えば人工歯３３ａに円形でない突起を設け、凹部３２ｂ側にこの突起を挿入する穴を設ける等の態様を挙げることができる。
【００３７】
次に、上記形態の義歯３０を作製する方法について説明する。
【００３８】
図１１は、１つの形態にかかる義歯の設計装置５０に含まれる構成を概念的に表したブロック図である。義歯の設計装置５０（以下、「設計装置５０」と記載することがある。）は、入力手段５１、演算装置５２、及び表示手段５８を有している。そして演算装置５２は、演算手段５３、ＲＡＭ５４、記憶手段５５、受信手段５６、及び出力手段５７を備えている。また、入力手段５１にはキーボード５１ａ、マウス５１ｂ、及び記憶媒体の１つとして機能する外部記憶装置５１ｃが含まれている。
【００３９】
演算手段５３は、いわゆるＣＰＵ（中央演算子）により構成されており、上記した各構成部材に接続され、これらを制御することができる手段である。また、記憶媒体として機能する記憶手段５５等に記憶された各種プログラム５５ａを実行し、これに基づいて後で説明する各種データの生成やデータの選択をする手段として演算を行うのも演算手段５３である。
【００４０】
ＲＡＭ５４は、演算手段５３の作業領域や一時的なデータの記憶手段として機能する構成部材である。ＲＡＭ５４は、ＳＲＡＭ、ＤＲＡＭ、フラッシュメモリ等で構成することができ、公知のＲＡＭと同様である。
【００４１】
記憶手段５５は、各種演算の根拠となるプログラムやデータが保存される記憶媒体として機能する部材である。また記憶手段５５には、プログラムの実行により得られた中間、最終の各種結果を保存することができてもよい。より具体的には記憶手段５５には、プログラム５５ａ、人工歯形状データベース５５ｂ、義歯床形状データベース５５ｃが記憶（保存）されている。またその他情報も併せて保存されていてもよい。
【００４２】
プログラム５５ａは設計装置５０を作動させるために必要なプログラムであり、特に限定されることはない。
【００４３】
人工歯形状データベース５５ｂは人工歯に関する形状等の情報が収納されたデータベースである。データベースに収納される人工歯形状の種類は特に限定されることはないが、歯列弓に含まれる複数の人工歯が１つの組となり、上下の歯列弓が咬み合わされた状態でデータとして収納されている態様でもよい。そしてこのデータは、１つ１つの人工歯ごとの他、いくつかの人工歯が含まれる分割された、いくつかのユニットで取り扱えるように構成してもよい。
このような人工歯の組は、例えば「性別」、「体格」等、患者の特徴に合わせるための複数のバリエーションを有したものが準備されていることが好ましい。
また、当該人工歯形状データベース５５ｂには、上記説明した回転を規制する手段の形態も含まれている。
【００４４】
義歯床形状データベース５５ｃは、義歯床に関する形状等の情報が収納されたデータベースである。データベースに収納される義歯床に関するデータの態様は特に限定されることはない。バリエーションについても人工歯の大きさに合わせた組み合わせで３種類〜４種類の大きさのデータがあることが好ましい。
当該義歯床形状データベース５５ｃには、上記したような、人工歯を義歯床に配置した際に回転を規制する手段の形態が含まれていてもよい。
【００４５】
受信手段５６は、外部からの情報を演算装置５２に適切に取り入れるための機能を有する構成部材であり、入力手段５１が接続される。いわゆる入力ポート、入力コネクタ等もこれに含まれる。
【００４６】
出力手段５７は、得られた結果のうち外部に出力すべき情報を適切に外部に出力する機能を有する構成部材であり、モニター等の表示手段５８や各種装置がここに接続される。いわゆる出力ポート、出力コネクタ等もこれに含まれる。
【００４７】
入力装置５１には、例えばキーボード５１ａ、マウス５１ｂ、外部記憶装置５１ｃ等が含まれる。キーボード５１ａ、マウス５１ｂは公知のものを用いることができ、説明は省略する。
外部記憶装置５１ｃは、公知の外部接続可能な記憶手段であり、記憶媒体としても機能する。ここには特に限定されることなく、必要とされる各種プログラム、データを記憶させておくことができる。例えば上記した記憶手段５５と同様のプログラム、データがここに記憶されていても良い。また、演算装置５２によるデータ生成の際の基礎となる印象データや咬合関係のデータ等を外部記憶装置５１ｃに記憶しておいてもよい。
外部記憶装置５１ｃとしては、公知の装置を用いることができる。これには例えばＣＤ−ＲＯＭ及びＣＤ−ＲＯＭドライブ、ＤＶＤ及びＤＶＤドライブ、ハードディスク、各種メモリ等を挙げることができる。
【００４８】
また、その他、ネットワークや通信により受信手段５６を介して演算装置５２に情報が提供されてもよい。同様にネットワークや通信により出力手段５７を介して外部の機器（例えばＮＣ工作機械）に情報を送信することができてもよい。
【００４９】
次に、設計装置５０を用いて、試適義歯１０、及び義歯３０を製造する方法Ｓ１（「製造方法Ｓ１」と記載することがある。）について説明する。ここではわかりやすさのため設計装置５０を用いた例を説明するが、当該製造する方法はこれに限定されるものではなく、以下の趣旨を含む方法を可能とするものであれば他の装置で行うこともできる。
【００５０】
図１２に製造方法Ｓ１の流れを示した。ここからわかるように製造方法Ｓ１は、印象のデジタル化の工程Ｓ１０、義歯の設計の工程Ｓ２０、試適義歯の設計の工程Ｓ３０、試適義歯の作製の工程Ｓ４０、義歯形状の調整の工程Ｓ５０、及び義歯の作製の工程Ｓ６０を含む。以下それぞれの工程について説明する。
【００５１】
工程Ｓ１０は、得られた印象から形状データや咬合関係のＣＡＤデータを得る工程である。印象自体は公知の方法で印象採得し、ここから石膏模型、印象体等の計測により患者の粘膜面情報を得ることができる。
【００５２】
ＣＡＤデータを得る方法は公知の装置を用いて行うことができ、例えば３次元光学スキャナを挙げることができる。一方、咬合関係のデータは、上顎の印象体と下顎の印象体とを咬合採得材で直接口腔内連結する、又は、咬合器上へ移行するための咬合採得を行うこと等により患者の咬合状態、又は、理想的な顎位置を再現したものを３次元計測することにより得ることができる。
【００５３】
工程Ｓ２０は、工程Ｓ１０で得た患者に基づく粘膜面の情報、及び設計装置５０に保存されたデータベースにより、義歯の形状をデータ上で仮決定する。本形態における工程Ｓ２０で行われる各演算は設計装置５０により行われる。すなわち、設計装置５０に備えられる記憶装置５５に保存されたプログラム５５ａに沿って演算手段５３が演算をすることにより進められる。
図１３に工程Ｓ２０の流れを示した。ここからわかるように、工程Ｓ２０は、印象データの取得の工程Ｓ２１、データ呼び出し及び排列位置調整の工程Ｓ２２を含む。
【００５４】
工程Ｓ２１は、工程Ｓ１０でデータ化した印象に関する情報を取得し、設計装置５０内に取り込む工程である。当該取り込みは設計装置５０の受信手段５６を介して記憶装置５５に記憶される。
【００５５】
工程Ｓ２２は、データベースから情報を呼び出し設計装置５０上で人工歯を排列する工程である。すなわち、ここまでで取り込んだ情報に基づき、設計装置５０の記憶手段５５に格納されたデータベースから歯列弓に適した人工歯データを呼び出す。そしてこれを顎堤上のおおよその位置に配置させたのち、位置を微調整する。
【００５６】
図１２に戻って工程Ｓ３０について説明する。工程Ｓ３０では工程Ｓ２０で仮に決定した義歯形状に基づいて、試適義歯１０の形状を作製する。具体的には上記した試適義歯１０のように、上顎側試適義歯１１、及び下顎側試適義歯２１の少なくとも一方に対して、基部１４と調整部１５とを分割する。
【００５７】
基部１４と調整部１５との分割の位置は、全ての咬合面１３ｂを含み、かつ、粘膜面の顎堤が調整部１５に干渉しない位置を摺動面１５ａの分割基準とし、全ての人工歯部１３ａの少なくとも咬合面１３ｂを含む最後部を他の面１５ｂの分割基準とする。
摺動面１５ａは、移動、回転、又はその両方を行う面となるため、咬合平面１０ａに対して平行にすることが好ましい。このとき、摺動面１５ａが咬合面１３ｂの近傍である場合、隣在歯との接触がなくなり一塊の調整部を得ることが困難であるため、当該摺動面１５ａは、分割基準を満たした位置のうち、より咬合平面１０ａから遠い位置を選択することが好ましい。
一方、他の面１５ｂについては，調整部１５を後方へ移動することを想定して２ｍｍ以上３ｍｍ以下の範囲で上記のような調整用間隙１１ａを設定しても良い。調整用間隙を設けない場合は、調整部１５又は基部１４を削合することによって位置関係を修正する。
【００５８】
本形態における工程Ｓ３０で行われる各演算は設計装置５０により行われる。すなわち、設計装置５０に備えられる記憶装置５５に保存されたプログラム５５ａに沿って演算手段５３が演算をすることにより進められる。
【００５９】
工程Ｓ４０では、工程Ｓ３０で決定した試適義歯の形状データに基づいて試適義歯の作製を行う。工程Ｓ３０で出力された試適義歯用の加工データを受信して３次元造形装置又は工作機械により形状を積層する、又は削り出すとともに、これらを組み合わせて試適義歯１０として仕上げる。すなわち、工程Ｓ３０で出力された３次元造形装置又は工作機械への指令データを受信してこれに基づいて、３次元造形装置や工作機械が積層や切削により試適義歯１０を作製する。ここで３次元造形装置及び工作機械は公知の物を用いることができ、特に限定されるものではなく、公知の３次元造形装置及びＮＣ工作機械を用いることができる。
本形態における工程Ｓ４０で行われる各演算は設計装置５０により行われる。すなわち、設計装置５０に備えられる記憶装置５５に保存されたプログラム５５ａに沿って演算手段５３が演算をすることにより進められる。
【００６０】
このように作製された試適義歯１０は、歯科医師等により患者の口腔内に配置され、咬合状態の調整が行われる。咬合状態の調整は上記したように、調整部１５を基部１４に対して移動、回転、又は両者を合わせて行うことができる。そしてその調整結果がデータとして得られる。調整結果のデータは例えば、調整部１５の移動量、及び回転量である。
【００６１】
工程Ｓ５０では、上記調整で得られた調整部１５の移動量、及び回転量が取り込まれ、これに基づいて工程Ｓ２０で作製した義歯のデータを変更してデータ上で義歯形状の調整をする。これにより義歯形状が決定する。取り込む手段は、ノギス等により直接計測した値をＣＡＤ上へ反映する方法や、３次元光学スキャナで一部の形状データを取得してＣＡＤ上で位置合わせする方法などが考えられるが、これらの方法については任意の手段を用いることができる。
そして、工程Ｓ５０では、決定した義歯データから人工歯データを削除し義歯床切削のための加工データを義歯の作製の工程Ｓ６０（工作機械）に出力する。
本形態における工程Ｓ５０で行われる各演算は設計装置５０により行われる。すなわち、設計装置５０に備えられる記憶装置５５に保存されたプログラム５５ａに沿って演算手段５３が演算をすることにより進められる。
【００６２】
工程Ｓ６０は、工程Ｓ５０から出力された義歯用の加工データを受信して工作機械により形状を削り出すとともに、これらを組み合わせて義歯３０として仕上げる工程である。
図１４には工程Ｓ６０の流れを示した。図１４からわかるように、工程Ｓ６０は、切削加工の工程Ｓ６１、義歯床への人工歯の取り付けの工程Ｓ６２、及び仕上げ研磨の工程Ｓ６３を備えている。
【００６３】
工程Ｓ６１は、工程Ｓ５０で出力された工作機械への指令データを受信してこれに基づいて、工作機械が切削により義歯床３２を削り出す工程である。ここで工作機械は公知の物を用いることができ、特に限定されるものではなく、公知のＮＣ工作機械を用いることができる。ここで用いられる義歯床の材料は硬質のレジン、金属、セラミック等の硬質の材料により形成されているので、切削が適切に精度よく行える。
【００６４】
工程Ｓ６２は、工程Ｓ６１で得られた義歯床３２に人工歯３３ａを取り付ける工程である。義歯床３２の凹部３２ｂに人工歯３３ａを配置して接着剤で固定する。
【００６５】
工程Ｓ６３は、工程Ｓ６２で得られた義歯に対して仕上げ研磨を施し、最終的に義歯３０を得る。
【００６６】
以上のように、製造方法Ｓ１によれば、咬合調整を手間や時間をかけることなく精度よく行うことができる。
【符号の説明】
【００６７】
１０  試適義歯
１０ａ  咬合平面
１１  上顎側試適義歯
１１ａ  調整用間隙
１２  義歯床部
１３  歯列部
１３ａ  人工歯部
１３ｂ  咬合面
１４  基部
１４ａ  切欠き
１５  調整部
１５ａ  摺動面
３０  義歯
３２  義歯床
３２ａ  堤
３２ｂ  凹部
３３  人工歯列
３３ａ  人工歯
【図１】
2018179554.tif 000003
【図２】
2018179554.tif 000004
【図３】
2018179554.tif 000005
【図４】
2018179554.tif 000006
【図５】
2018179554.tif 000007
【図６】
2018179554.tif 000008
【図７】
2018179554.tif 000009
【図８】
2018179554.tif 000010
【図９】
2018179554.tif 000011
【図１０】
2018179554.tif 000012
【図１１】
2018179554.tif 000013
【図１２】
2018179554.tif 000014
【図１３】
2018179554.tif 000015
【図１４】
2018179554.tif 000016
【国際調査報告】
2018179554.tif 000017
2018179554.tif 000018